(57)【特許請求の範囲】
【請求項１】
ファインダー光路に入射する物体光を遮ってファインダー視野内で減光表示像を形成する減光状態と、前記物体光を透過させる透過状態とを有する第１の表示手段と、
該第１の表示手段が前記減光状態にある場合において、表示光によって前記ファインダー視野内で前記減光表示像と重なる発光表示像を形成する第２の表示手段とを有し、
前記第２の表示手段は、ファインダー光路内に配設されて前記物体光および前記表示光のうち一方を透過させるとともに他方を反射するミラー部材に前記表示光を投射して前記発光表示像を形成することを特徴とする光学機器。
【請求項２】
前記ミラー部材は、前記物体光を透過させ、前記表示光を反射することを特徴とする請求項１に記載の光学機器。
【請求項３】
前記ミラー部材は、ファインダー視野の全域に対応する大きさを有することを特徴とする請求項１又は２に記載の光学機器。
【請求項４】
前記ミラー部材は、ファインダー接眼部に対する物体光の入射面側に配設されていることを特徴とする請求項１から３のいずれかに記載の光学機器。
【請求項５】
前記ミラー部材として、所定波長よりも短い波長の光を透過させるとともに前記所定波長より長い波長の光を反射するものを用いており、
前記表示光の波長を、前記所定波長より長い波長に設定したことを特徴とする請求項２に記載の光学機器。
【請求項６】
前記所定波長がほぼ６７０ｎｍであることを特徴とする請求項５に記載の光学機器。
【請求項７】
前記表示光の光源が発光ダイオードであることを特徴とする請求項１から６のいずれかに記載の光学機器。
【発明の詳細な説明】
【０００１】
【発明の属する技術分野】
本発明は、ファインダー内表示、特にスーパーインポーズ表示を行うカメラ等の光学機器に関するものである。
【０００２】
【従来の技術】
オートフォーカスのフォーカスポイントをファインダー視野内の被写体像に重ねて表示するいわゆるスーパーインポーズ表示技術が従来知られている。被写体像と表示像とを重ねることで、表示像の「位置」と表示像の「状態」を使用者に対して極めて直感的に伝えることが可能である。
【０００３】
そして、表示像について、消灯（透過）、減光、着色の３つの状態をとり得るようにすれば、例えば、
▲１▼消灯→選択されていないフォーカスポイント
▲２▼減光→選択されたフォーカスポイント
▲３▼着色→ピントが合っている又は合ったフォーカスポイント
と対応付けて、選択されたフォーカスポイントについてピントの合い具合をファインダー上の被写体から目を離すことなく容易に知ることができる。
【０００４】
特に、ピントが合っている又は合ったフォーカスポイントを発光型表示とすることで、撮影者の注意を引くことができるので表示の見落としを少なくすることができ、また被写体輝度が低いときにも視認性をよくすることができるという利点がある。
【０００５】
このようなファインダー内表示を実現するための技術としては、例えば特開平６−１３０４８１号公報にて提案されたものがある。このものは、液晶を充填した回折格子をフォーカシングスクリーンに光軸方向に隣接させて配置し、液晶への電界のオン−オフで光の回折を制御して消灯と減光を切り換え、さらに、減光状態において照明光を斜めから当てて着色表示するものである。
【０００６】
これによれば、被写体像とカメラの撮影情報等を表す表示像とを重ねて観察させることができ、しかも表示像が上記３状態をとり得ることから、先に示したような利便性の向上が著しい。
【０００７】
【発明が解決しようとする課題】
しかしながら、上記公報提案のものでは、回折格子に照明光を斜めから当てて着色表示を行うという制約から、着色表示を行える位置がファインダー視野の中央部に限定されてしまうという問題がある。
【０００８】
そこで、本願発明では、表示像の消灯、減光、着色という３状態を選択可能であって、ファインダー視野内の広範囲に着色表示像を表すことができるようにした光学機器を提供することを目的としている。
【０００９】
【課題を解決するための手段】
上記の目的を達成するために、本願発明では、ファインダー光路に入射する物体光を遮ってファインダー視野内で減光表示像を形成する減光状態と、物体光を透過させる透過状態とを有する第１の表示手段と、第１の表示手段が減光状態にある場合において、表示光によってファインダー視野内で減光表示像と重なる発光表示像を形成する第２の表示手段とを有し、第２の表示手段を、ファインダー光路内に配設されて上記物体光および表示光のうち一方を透過させるとともに他方を反射するミラー部材に表示光を投射して発光表示像を形成するように構成している。
【００１０】
すなわち、例えば、ファインダー接眼レンズの前に配設され、ファインダー視野の全域に対応する大きさを有するミラー部材の広範な部分に第２の表示手段によって表示光を投射可能とし、その反射光による発光表示像と第１表示手段による減光表示像とをファインダー視野内で重ねて観察できるようにして、ファインダー視野内の広い範囲で、消灯、減光、着色という３状態のスーパーインポーズ表示を得ることができるようにしている。
【００１１】
なお、ミラー部材として所定波長（例えば、それ以上の波長では人間の目の感度が低くなる６７０ｎｍ）よりも短い波長の光を透過させるとともに所定波長より長い波長の光を反射するものを用い、表示光の波長を上記所定波長より長い波長に設定することにより、ミラー部材の存在により物体像が暗くなるのを防止し、かつ表示光を効率良く反射させることができるようにするのが望ましい。
【００１２】
また、表示光の光源を発光ダイオードとして、高彩度の着色表示をするのが望ましい。
【００１３】
【発明の実施の形態】
（第１実施形態）
図１および図２には、本願発明の第１実施形態であるカメラを示している。なお、図１は撮像状態を、図２は物体像観察状態をそれぞれ示している。
【００１４】
本カメラは、写真フィルムに画像を記録する第１の撮像系と、ＣＣＤエリアセンサーで画像を光電変換してカメラに内蔵したメモリに電気的信号として記録する第２の撮像系とを有し、さらに、これらに共通の撮像対象である物体像を観察するファインダー系と物体像に重畳させた情報表示を行うスーパーインポーズ表示系とを備えている。
【００１５】
スーパーインポーズ表示系は、物体光を遮って（減光して）表示を行う第１のスーパーインポーズ表示系と、光を発することによって表示を行う第２のスーパーインポーズ表示系とから構成されている。
【００１６】
図１および図２において、１はカメラ本体、２は不図示の各種対物レンズを取り付けるためのカメラ側マウント、１０１は対物レンズの光軸、１０２は第１の撮像系の撮像面となる写真フィルムである。１０３は半透過性のフィルムからなる主ミラー（ペリクルミラー）であり、対物レンズから入射した物体光を、後述するファインダー光学系に向けて反射させるとともに、そのまま後述する焦点検出系に透過させる。３はフォーカルプレーンシャッター、２１は写真フィルムへの磁気情報の書き込みと読み出しを行う磁気ヘッドである。第１の撮像系は一眼レフカメラの技術として知られている。
【００１７】
まず、カメラの焦点検出系を構成する要素について説明する。１０４は対物レンズの光軸１０１上に斜めに配置された第１反射鏡、１０５は第１反射鏡１０４によって折り返された撮像面１０２に共役な近軸的結像面、１０６は平面鏡である第２反射鏡、１０９は紙面奥行き方向に並んだ２つの凹面上にアルミニウム等を局所的に蒸着した反射鏡を有する再結像レンズブロック、１０７は赤外線カットフィルター、１１１は１対の２次元型受光エリアを有する焦点検出用エリアセンサーである。
【００１８】
各受光エリアは、同一の開口を持った多数の画素よりなる複数のセンサー列で構成され、センサー列同士も対をなしている。対をなすセンサー列の出力間の位相を比較して対物レンズの結像状態を知ることができる。
【００１９】
ここで、第１反射鏡１０４は楕円鏡である。楕円を定義する二つの焦点は、対物レンズの光軸１０１上の光線が主ミラー１０３で屈折した後の光路を逆に対物レンズ側に延長した線上と、その光線が第１反射鏡１０４によって反射した後の光路を延長した線上とにそれぞれ位置する。再結像レンズブロック１０９の一対の反射鏡も楕円鏡である。また、第１反射鏡１０４は焦点検出領域を制限する視野マスクの役割を兼ねるため、必要な領域のみが光を反射するようになっている。なお、これらの構成要素のうちの光学的に機能する部分は何れも紙面に対して対称に構成されている。
【００２０】
次に、ファインダー系とスーパーインポーズ表示系を構成する要素について説明する。１１は光入射面が平面、光射出面がマット面１１ａで構成されるフォーカシングスクリーン、１３はファインダー視野内にフォーカスポイントや撮影範囲等をスーパーインポーズ表示するための第１液晶表示器、１５は高屈折率のガラスからなるコンデンサーレンズ、１２はペンタダハミラー、１６は反射手段としての可動ミラー、８０は主に６７０ｎｍ以上の赤色光を反射するダイクロイックミラー、１４は接眼レンズである。接眼レンズ１４の射出面側が接眼窓となる。
【００２１】
８４は第２のスーパーインポーズ表示系の光源となる赤色ＬＥＤ、８３は集光レンズ、８２は表示セグメントのみ光が透過するように構成された第２の液晶表示器、８１は第２液晶表示器８２の表示視度を第１液晶表示器１３の表示視度と揃えるための表示レンズである。
【００２２】
第１液晶表示器１３と第２液晶表示器８２には、ファインダー上で同一の位置に対応した表示セグメントがあり、具体的にはフォーカスポイントの表示セグメントを共通に有している。ただし、第１液晶表示器１３は減光表示に、第２液晶表示器８２は発光型の表示に用いられるため、第１液晶表示器１３はポジ型液晶、第２の液晶表示器８２はネガ型液晶である。
【００２３】
主ミラー１０３からの反射光によってフォーカシングスクリーン１１のマット面１１ａ上には物体像が形成される。フォーカシングスクリーン１１を透過した光束は第１液晶表示器１３とコンデンサーレンズ１５を経てペンタダハミラー１２の内部に入射し、１２ｇを稜線として紙面手前と奥に設けられたダハ面１２ｂ，１２ｃでそれぞれ１回ずつ反射した後、可動ミラー１６に達し、ここでもう一度反射して接眼レンズ１４の方向に向かう。
【００２４】
可動ミラー１６はミラー駆動機構によって位置制御されて、図２に示す位置と図１に示す位置とを選択的にとり得る。図２の位置で、接眼レンズ１４を通してフォーカシングスクリーンのマット面１１ａを視ると、物体像を正立正像として観察することが可能である。
【００２５】
第２の撮像系の要素について説明する。第２の撮像系は上述のファインダー系と光路を一部共有して構成されている。図において、４は円形の開口を有する絞り、５は凸レンズ、６は反射鏡、７は凹レンズ、８は固体撮像素子であるＣＣＤ等のエリアセンサーである。凸レンズ５と凸レンズ７は結像光学系を構成している。これらは可動ミラー１６が図１に示す位置のときに光軸１０１と共軸になる。
【００２６】
フォーカシングスクリーン１１上に形成された物体像の光束はマット面１１ａで拡散作用を受けてペンタダハミラー１２に入る。このうち絞り４の開口を通過した光束は凸レンズ５によって収斂し、反射鏡６を介して凹レンズ７に入射する。凹レンズ７は像面の湾曲を補正するために設けられており、第２の撮像系のエリアセンサー８上にはフォーカシングスクリーン１１上の物体像が良好に縮小結像される。コンデンサーレンズ１５に高屈折率のガラスを用いた代わりにフォーカシングスクリーン１１の光入射面は平面としてある。
【００２７】
このようにフォーカシングスクリーン１１を通過した光束を再結像したことによって、可動ミラー１６が図１に示す位置と図２に示す位置の何れにあっても、エリアセンサー８の出力として物体像の状態を知ることができる。可動ミラー１６が図２の位置にある物体像観察状態では、エリアセンサー８の出力は物体輝度の検出に用いられ、図１の位置のときは第２の撮像系の画像の取り込みを行う。第２の撮像系で撮像された画像は、カメラ本体１の背面側に設けられた表示部９内の液晶表示装置１０で観察することができる。表示部９は回転軸２０の回りに回動し、液晶表示装置１０での観察を必要としないときには点線９’で示した位置に収納することもできる。
【００２８】
次に、スーパーインポーズ表示の動作について説明する。まず、第１のスーパーインポーズ表示系を構成する第１液晶表示器１３は、ＴＮ液晶やゲストホスト液晶等の遮光型液晶表示器か、ＰＤＬＣ等の散乱型液晶表示器であって、表示セグメントの部分について対物レンズを透過した光束が以降のファインダー系に導かれるを阻止する。ファインダー画像上では表示セグメントに対応した部分を暗く視認させることができる。第１液晶表示器１３をフォーカシングスクリーン１１に光軸方向に隣接させて配置することにより、撮影画面上の任意の位置に表示パターンを配置することが可能である。
【００２９】
なお、液晶表示器の代わりにエレクトロクロミック素子等の減光性表示素子や液晶ホログラム素子等の回折表示素子を用いてもよい。
【００３０】
次に、第２のスーパーインポーズ表示系では、第２液晶表示器８２がＬＥＤ８４と集光レンズ８３によって照明され、これを接眼レンズ１４、ダイクロイックミラー８０、表示レンズ８１を介して観察させる。
【００３１】
一般的な誘電体多層膜の特性としてダイクロイックミラー８０における光の吸収は無く、分光透過率特性は分光反射率特性を反転したものとなる。したがって、フォーカシングスクリーン１１を透過した被写体のうち、概ね６７０ｎｍ以下の成分が後方の接眼レンズ１４まで達し、それ以上の成分は反射される。
【００３２】
このような特性のダイクロイックミラー８０を通して、被写体がどのように見えるかは人間の目の感度特性に依存する。一般的に６７０ｎｍ以上の赤の波長は可視域の端部にあたって、感度はかなり低い。実際、この波長域をカットして被写体を観察してもファインダー像の色付きは感じられず、実物とファインダー像との色の差異はほとんど無い。また、大部分の光量を透過しているために、像の明るさがダイクロイックミラー８０を原因として低下することもない。
【００３３】
ただし、人間の目が６７０ｎｍ以上の光に対して感度がないわけでなく、この波長域であっても強い光が目に入射すれば、勿論赤く視認できる。第２のスーパーインポーズ表示系ではこの特性を利用して、６７０ｎｍ以上に発光強度を有するＬＥＤ８４を用いている。
【００３４】
この波長に対するダイクロイックミラー８０の透過率をほぼ０％つまり反射率がほぼ１００％とすれば、表示光をダイクロイックミラー８０で効率良く反射させてファインダー光路へ偏向させることができる。
【００３５】
また、表示レンズ８１を凸レンズとすることで、第２の液晶表示器と第１の液晶表示器の視度を合致させつつ、第２の液晶表示器のサイズを縮小することができる。しかも、ダイクロイックミラー８０は接眼レンズ１４から射出する全有効光束が透過できるだけの大きさを持っているため、第２のスーパーインポーズ表示の表示位置自由度も大きい。
【００３６】
なお、ダイクロイックミラーの反射波長域を短波長側の可視域端となる４５０ｎｍ程度に設定し、青色ＬＥＤを用いて青色表示を行うようにしても良い。さらには、青色と赤色の両方の光源を用いて２色表示、あるいは両者を点灯させることを含む３色表示を行ってもよい。
【００３７】
図３には、表示制御部を示している。図において、２０１はエリアセンサー８０を駆動制御するエリアセンサー駆動回路、２０４は液晶表示装置１０を駆動するＬＣＤ駆動回路、２０２は多数のフォーカスポイントを有する焦点検出回路、２１１は第１液晶表示器１３と第２液晶表示器８２を含み指定されたフォーカスポイントと撮影画面範囲等をファインダー内に表示する表示回路、２０３は写真フィルムの感度情報を取り込むためのフィルム感度情報入力回路、２０８は各ミラーの駆動と写真フィルムの巻き上げを行うモータ駆動回路、２１２，２１３はモータ駆動回路２０８に接続されたモータ、２０９はフォーカルプレーンシャッター３を駆動するシャッター駆動回路、２１０は装着された対物レンズの絞りを制御する絞り駆動回路、２０７は写真フィルムへの磁気データの書き込みと再生を行う磁気データ記録読み出し回路、２１４はエリアセンサー８の出力を信号処理する信号処理回路、２０６は第２の撮像系の画像データを記録するメモリ、２０５はこれらの各回路を総括的に制御するシステムコントローラーである。システムコントローラー２０５はＣＰＵ、ＲＡＭ、ＲＯＭ、ＥＥＰＲＯＭ等より構成されている。
【００３８】
前述の焦点検出用エリアセンサー１１１は焦点検出回路２０８の、磁気ヘッド２１は磁気データ記録読み出し回路２０７の構成要素である。
【００３９】
図４はカメラの動作を示すフローチャートである。以下のフローはシステムコントローラー２０５内のＲＯＭに格納されている。
【００４０】
まず、ステップ＃４０１では、レリーズボタンが少なくとも半押しされて、スイッチＳＷ１がオンしているかを調べる。押されていなければ同一のステップを繰り返し、押されていればステップ＃４０２に進む。
【００４１】
ステップ＃４０２では、フィルム感度情報入力回路２０３からカメラに装填されている写真フィルムのＩＳＯを取得する。
【００４２】
続いて、ステップ＃４０３では、第１と第２の撮像系のシャッタースピードが同程度になるように、写真フィルムのＩＳＯに基づいてエリアセンサー８の出力に対するアンプゲインを設定し、エリアセンサー駆動回路２０１にアンプゲインを指示する。このとき、写真フィルムのＩＳＯが極端に低かったり極端に高かったりして、理想的なアンプゲインが設定できない場合には、後述するようにファインダー内表示回路２１１にてその旨を表示する。
【００４３】
図５には、このステップ＃４０３の処理を行うためのサブルーチンのフローを示している。まず、ステップ＃５０１では、第１の撮像系のシャッタースピードと第２の撮像系のシャッタースピードとを近づけるべく、写真フィルムのＩＳＯに応じたアンプゲインを設定する。高感度の写真フィルムが装填されているときにはアンプゲンイを大きく、逆に低感度の写真フィルムが装填されているときにはアンプゲインを小さくする。この際、アンプゲインの設定可能範囲は写真フィルムのＩＳＯの幅よりも狭いために、理想的なアンプゲンイが設定できるとは限らない。
【００４４】
次に、ステップ＃５０２では、先のステップで設定されたアンプゲインと理想的なアンプゲインとの格差を算出する。また、ステップ＃５０３では、ステップ＃５０２で算出した値が２段以下であるかを判定する。２段以下でなければステップ＃５０４に進み、２段以下であればサブルーチンを終了する。
【００４５】
ステップ＃５０４では、ファインダー内表示回路２１１により図６の１３５として示した警告マークを液晶表示装置１３に表示して、サブルーチンを終了する。
【００４６】
メインルーチンに戻り、ステップ＃４０４では、エリアセンサー８を駆動して物体像を光電変換し、所定の演算に基づいて被写体輝度を算出する。図２に示した物体像観察状態では、マット面１１ａを透過する光の直進成分が接眼レンズ１４に導かれ、代わりに絞り４には拡散成分が導かれる。
【００４７】
次に、ステップ＃４０５では、写真フィルムのＩＳＯと被写体輝度の情報から、適切な対物レンズの絞り値と、シャッタースピードを算出する。算出された絞り値とシャッタースピードは、ファインダー内表示回路２１１を介して第１の液晶表示器１３に表示され、ファインダー内にスーパーインポーズ表示として示される。
【００４８】
ここで、液晶表示装置１３に表示された表示内容をファインダー光学系を通して観察した様子を図６に示している。この図において、１３０はファインダー視野、１３２は撮影画面をパノラマ画面モードに設定してあることを表す減光表示、１３６は絞り値、１３３は第１の撮像系のシャッタースピード、１３４は第２の撮像系のシャッタースピード、１３５は第１の撮像系のシャッタースピード１３３と第２の撮像系のシャッタースピード１３４との間に所定量以上の差異があることを示す警告マーク、１３７は現在選択されているフォーカスポイントである。この図では、菱形に配置された４つのフォーカスポイントのグループが撮影者によって選ばれていることを表している。これらは何れも第１のスーパーインポーズ表示系による減光表示である。なお、破線で示したフォーカスポイント１３１は選択可能なフォーカスポイントのうち現在選択されていないものを示しており、実際には視認されない。
【００４９】
次に、ステップ＃４０６では、焦点検出回路２０２の焦点検出用エリアセンサー１１１を駆動し、この出力に基づいて対物レンズの焦点状態を検出する。この結果、焦点ズレがある場合には対物レンズの光軸１０１上の位置を調節する。さらに、フォーカスポイントとピントの合っている主被写体領域はファインダー内表示回路２１１を介して第２液晶表示器８２に表示し、ファインダー内にスーパーインポーズ表示として赤く着色表示する。
【００５０】
ここで、図８に示したフォーカスポイント１３７のうち、右と下のフォーカスポイントがピントの合っている主被写体領域であって、ハッチングを掛けた部分が着色部である。この表示は極めて視認性が良いため、ピントがあった際の所定時間だけ行うようにしてもよく、この場合には電力の節減が図れる。なお、ＬＥＤ８４の発光輝度はステップ＃４０４で行った被写体輝度の測定結果に基づいて変調される。
【００５１】
第２のスーパーインポーズ表示系による表示パターンは、第１のスーパーインポーズ表示系による表示パターンに重ねられているため、被写体からの光を減光させた部分がＬＥＤ光で光ることになり、被写体色の影響を受けない表示色が得られる。一般にＬＥＤの発光波長域は狭く、半値幅は通常数１０ｎｍであって、極めて彩度が高い。被写体色の影響を受けないようにすることで、スーパーインポーズ表示の着色部もＬＥＤと同程度の彩度を保つことができる。
【００５２】
次に、ステップ＃４０７では、シャッターボタンが完全に押し込まれて、スイッチＳＷ２がオンしているかどうかを調べる。押し込まれていなければステップ＃４０１に戻り、押し込まれていればステップ＃４０８に進んで撮像動作を行う。
【００５３】
ステップ＃４０８では、絞り駆動回路２１０に対し対物レンズの絞りをステップ＃４０５で算出した値まで絞り込むように指示を出す。
【００５４】
次に、ステップ＃４０９では、モータ駆動回路２０８を介してモータ２１２を制御し、図３に示した発動レバー３１２を矢印Ｃ方向に移動させる。これに従動して、焦点検出のための第１反射鏡１０４および第２反射鏡１０６の撮影光路外への待避と、可動ミラーの移動と、アイピースシャッター３０５の接眼部への移動とが行われる。
【００５５】
次に、ステップ＃４１０では、エリアセンサー８で取り込む画像にファインダー内のスーパーインポーズ表示が写り込むのを防止するために、ファインダー内表示回路２１１の第１液晶表示器１３に表示しているすべての内容を図７のように一時消灯する。ただし、このときすでにアイピースシャッター３０５が作動しているために、ファインダーを通してこの状態が見えるわけではない。また、第２のスーパーインポーズ表示系においても、光の漏れ込みを防ぐ為にＬＥＤ８４を消灯する。
【００５６】
次に、ステップ＃４１１では、シャッタ駆動回路２０９を駆動して、先のステップ＃４０５で算出したシャッタースピードでフォーカルプレーンシャッター３を動作させ、第１の撮像系の撮像を行う。
【００５７】
さらに、ステップ＃４１２では、エリアセンサー駆動回路２０１を介してＣＣＤ８を駆動し、フォーカシングスクリーン１１上に形成された物体像を光電変換し第２の撮像系で撮像する。本ステップ＃４１２と先のステップ＃４１１とは実質的に同時に見なせるタイミングで作動し、２つの撮像系の同時撮像が行われる。
【００５８】
次に、ステップ＃４１３では、エリアセンサー８の出力を信号処理回路２１４で信号処理した後メモリ２０６に取り込む。
【００５９】
次に、ステップ＃４１４では、モータ駆動回路２０８に接続されたモータ２１２を制御して発動レバー３１２の位置を図３に示す位置に戻し、焦点検出用の第１反射鏡１０４、第２反射鏡１０６、可動ミラー１６およびアイピースシャッター３０５を物体像観察状態に設定する。
【００６０】
次に、ステップ＃４１５では、モーター駆動回路２０８に写真フィルムの送りを指示し、モータ駆動回路２０８はモータ２１３を制御して次のコマの撮像に備える。
【００６１】
次に、ステップ＃４１６では、磁気データ記録読み出し回路２０７に磁気記録の指示を行い、フィルム送り中、写真フィルム上の磁気記録層に撮影データや撮像シーンの識別情報を記録する。撮影データはパノラマ等の撮影画面情報、絞り値、第１の撮像系のシャッタースピード、第２の撮像系のシャッタースピード等である。また、識別情報は第１の撮像系で写真フィルムに記録した画像を、フィルムスキャナーで読みとってデジタルデータに変換した際に、第２の撮像系で撮像した画像データとの対応を取るのに有効な情報である。
【００６２】
次に、ステップ＃４１７では、ＬＣＤ駆動回路２０４によりメモリ２０６に記録した画像情報を表示部９の液晶表示装置１０上に表示する。こうして、一連の撮像動作が終了する。
【００６３】
なお、本実施形態では、ファインダー光学系内のダイクロイックミラー８０に対して物体光を透過させ、表示光を反射させる場合について説明したが、物体光を反射させ、表示光を透過させるようなミラー部材を用いてもよい。
【００６４】
また、本実施形態では、ファインダー内表示を行うカメラについて説明したが、本願発明は、カメラ以外の光学機器にも適用することができる。
【００６５】
【発明の効果】
以上説明したように、本願発明によれば、ファインダー視野の広い範囲をカバーするミラー部材に対して第２の表示手段によって表示光を投射し、その反射光等による発光表示像と第１表示手段による減光表示像とをファインダー視野内で重ねて観察できるようにしているので、ファインダー視野内の広い範囲で、消灯、減光、着色という３状態をとり得るスーパーインポーズ表示を行うことができる。
【００６６】
なお、ミラー部材として所定波長（例えば、それ以上の波長では人間の目の感度が低くなる６７０ｎｍ）よりも短い波長の光を透過させるとともに所定波長より長い波長の光を反射するものを用い、表示光の波長を上記所定波長より長い波長に設定すれば、ミラー部材の存在により物体像が暗くなるのを防止し、かつ表示光を効率良く反射させることができる
また、表示光の光源を発光ダイオードとして高彩度の着色表示を行うようにすれば、撮影者の注意を引いて表示の見落としを防止することができる
【図面の簡単な説明】
【図１】本発明の第１実施形態である複合型カメラの断面図である。
【図２】上記複合型カメラの断面図である。
【図３】上記カメラの電気的構成を示すブロック図である。
【図４】上記カメラの動作を示すフローチャートである。
【図５】上記カメラのゲイン設定のサブルーチンを示すフローチャートである。
【図６】上記カメラのファインダー内の表示の説明図である。
【図７】上記カメラのファインダー内の表示の説明図である。
【図８】上記カメラのファインダー内の表示の説明図である。
【符号の説明】
１  カメラ本体
３  フォカルプレーンシャッター
８  撮像用エリアセンサー
１０  液晶表示装置
１１  フォーカシングスクリーン
１３  第１液晶表示器
１４  接眼レンズ
８０  ダイクロイックミラー
８２  第２液晶表示器
８４  ＬＥＤ
１０２  写真フィルム
１１１  焦点検出用エリアセンサー
１３７  フォーカスポイント
６
【図１】
0003748472.tif 000002
【図２】
0003748472.tif 000003
【図３】
0003748472.tif 000004
【図４】
0003748472.tif 000005
【図５】
0003748472.tif 000006
【図６】
0003748472.tif 000007
【図７】
0003748472.tif 000008
【図８】
0003748472.tif 000009